【手続補正書】
【提出日】平成19年3月16日(2007.3.16)
【手続補正１】
【補正対象書類名】明細書
【補正対象項目名】特許請求の範囲
【補正方法】変更
【補正の内容】
【特許請求の範囲】
【請求項１】  少なくとも被写体を撮影する複数の撮影装置と、
上記複数の撮影装置とネットワークを介して接続され、上記複数の撮影装置のそれぞれによって少なくとも被写体が撮影されるのに応じて、撮影によって得られた撮影画像データ毎に印刷出力を受注する受注装置と、
上記複数の撮影装置と上記ネットワークを介して接続され、上記ネットワークを介して上記複数の撮影装置のそれぞれから供給された撮影画像データを含む画像データを蓄積する画像蓄積装置と、
上記複数の撮影装置と上記ネットワークを介して接続され、上記ネットワークを介して上記画像蓄積装置から供給された撮影画像データを少なくとも含む画像データを印刷して当初印刷物を出力する印刷出力装置と、
上記複数の撮影装置と上記ネットワークを介して接続され、撮影画像データ毎に対応させて上記当初印刷物の出荷処理を行う出荷端末とを備えること
を特徴とする画像印刷受注システム。
【請求項２】  上記ネットワークとは異なる他のネットワークを介して上記撮影画像データを基礎とする画像データの印刷物である事後印刷物の再注文を行う複数の通信端末と、
上記複数の撮影装置と上記ネットワークを介して接続されるとともに、上記複数の通信端末と上記他のネットワークを介して接続され、上記複数の通信端末のそれぞれから要求された上記事後印刷物の再注文を受け付ける注文受付装置と、
上記複数の通信端末と上記他のネットワークを介して接続され、再注文された上記事後印刷物に対する課金及び決済を行う課金及び決済装置とを備え、
上記受注装置は、上記課金及び決済装置によって課金及び決済が行われるのに応じて、上記通信端末によって上記他のネットワークを介して上記注文受付装置に再注文された上記撮影画像データを基礎とする画像データの印刷出力を、上記ネットワークを介して再受注し、
上記印刷出力装置は、再注文された上記撮影画像データを基礎とする画像データの印刷出力が上記受注装置によって再受注されるのに応じて、再注文された上記撮影画像データを基礎とする画像データが上記ネットワークを介して上記画像蓄積装置から供給され、供給された画像データを印刷して上記事後印刷物を出力し、
上記出荷端末は、再注文された上記撮影画像データを基礎とする画像データ毎に対応させて上記事後印刷物の出荷処理を行うこと
を特徴とする請求項１記載の画像印刷受注システム。
【請求項３】  上記撮影装置は、撮影の内容を示す撮影に関する情報を撮影毎に生成し、複数の撮影に対応して生成される上記撮影に関する情報をデータベースとして保存すること
を特徴とする請求項１記載の画像印刷受注システム。
【請求項４】  複数の撮影装置によって少なくとも被写体が撮影され、
上記複数の撮影装置とネットワークを介して接続された受注装置により、上記複数の撮影装置のそれぞれによって少なくとも被写体が撮影されるのに応じて、撮影によって得られた撮影画像データ毎に印刷出力が受注され、
上記複数の撮影装置と上記ネットワークを介して接続された画像蓄積装置により、上記ネットワークを介して上記複数の撮影装置のそれぞれから供給された撮影画像データを含む画像データが蓄積され、
上記複数の撮影装置と上記ネットワークを介して接続された印刷出力装置により、上記ネットワークを介して上記画像蓄積装置から供給された撮影画像データを少なくとも含む画像データが印刷されて当初印刷物が出力され、
上記複数の撮影装置と上記ネットワークを介して接続された出荷端末により、撮影画像データ毎に対応させて上記当初印刷物の出荷処理が行われること
を特徴とする画像印刷受注方法。
【請求項５】  複数の通信端末により、上記ネットワークとは異なる他のネットワークを介して上記撮影画像データを基礎とする画像データの印刷物である事後印刷物の再注文が行われ、
上記複数の撮影装置と上記ネットワークを介して接続されるとともに、上記複数の通信端末と上記他のネットワークを介して接続された注文受付装置により、上記複数の通信端末のそれぞれから要求された上記事後印刷物の再注文が受け付けられ、
上記複数の通信端末と上記他のネットワークを介して接続された課金及び決済装置により、再注文された上記事後印刷物に対する課金及び決済が行われ、
上記受注装置により、上記課金及び決済装置によって課金及び決済が行われるのに応じて、上記通信端末によって上記他のネットワークを介して上記注文受付装置に再注文された上記撮影画像データを基礎とする画像データの印刷出力が、上記ネットワークを介して再受注され、
再注文された上記撮影画像データを基礎とする画像データの印刷出力が上記受注装置によって再受注されるのに応じて、再注文された上記撮影画像データを基礎とする画像データが上記ネットワークを介して上記画像蓄積装置から上記印刷出力装置に対して供給され、上記印刷出力装置により、上記画像蓄積装置から供給された画像データが印刷されて上記事後印刷物が出力され、
上記出荷端末により、再注文された上記撮影画像データを基礎とする画像データ毎に対応させて上記事後印刷物の出荷処理が行われること
を特徴とする請求項４記載の画像印刷受注方法。
【請求項６】  少なくとも被写体を撮影する複数の撮影装置と、
上記複数の撮影装置とネットワークを介して接続され、上記ネットワークを介して、上記複数の撮影装置のそれぞれによって少なくとも被写体が撮影されて得られた撮影画像データが上記複数の撮影装置のそれぞれから供給され、撮影画像データ毎に印刷出力の注文を受け付けるとともに、上記撮影画像データを注文毎に一時保存する注文受付装置と、
上記注文受付装置と上記ネットワークとは異なる他のネットワークを介して接続され、上記他のネットワークを介して上記注文受付装置から供給された撮影画像データを含む画像データを蓄積する画像蓄積装置と、
上記注文受付装置と上記他のネットワークを介して接続され、上記注文受付装置に一時保存された撮影画像データ毎に印刷出力を受注する受注装置と、
上記注文受付装置と上記他のネットワークを介して接続され、上記他のネットワークを介して上記画像蓄積装置から供給された撮影画像データを少なくとも含む画像データを印刷して当初印刷物を出力する印刷出力装置と、
上記注文受付装置と上記他のネットワークを介して接続され、撮影画像データ毎に対応させて上記当初印刷物の出荷処理を行う出荷端末とを備えること
を特徴とする画像印刷受注システム。
【請求項７】  上記ネットワークを介して上記撮影画像データを基礎とする画像データの印刷物である事後印刷物の再注文を行う複数の通信端末と、
上記複数の通信端末と上記ネットワークを介して接続され、再注文された上記事後印刷物に対する課金及び決済を行う課金及び決済装置とを備え、
上記注文受付装置は、上記複数の通信端末と上記ネットワークを介して接続され、上記複数の通信端末のそれぞれから要求された上記事後印刷物の再注文を受け付け、
上記受注装置は、上記課金及び決済装置によって課金及び決済が行われるのに応じて、上記通信端末によって上記ネットワークを介して上記注文受付装置に再注文された上記撮影画像データを基礎とする画像データの印刷出力を、上記他のネットワークを介して再受注し、
上記印刷出力装置は、再注文された上記撮影画像データを基礎とする画像データの印刷出力が上記受注装置によって再受注されるのに応じて、再注文された上記撮影画像データを基礎とする画像データが上記他のネットワークを介して上記画像蓄積装置から供給され、供給された画像データを印刷して上記事後印刷物を出力し、
上記出荷端末は、再注文された上記撮影画像データを基礎とする画像データ毎に対応させて上記事後印刷物の出荷処理を行うこと
を特徴とする請求項６記載の画像印刷受注システム。
【請求項８】  複数の撮影装置によって少なくとも被写体が撮影され、
上記複数の撮影装置とネットワークを介して接続された注文受付装置により、上記ネットワークを介して、上記複数の撮影装置のそれぞれによって少なくとも被写体が撮影されて得られた撮影画像データが上記複数の撮影装置のそれぞれから供給され、撮影画像データ毎に印刷出力の注文が受け付けられるとともに、上記撮影画像データが注文毎に一時保存され、
上記注文受付装置と上記ネットワークとは異なる他のネットワークを介して接続された画像蓄積装置により、上記他のネットワークを介して上記注文受付装置から供給された撮影画像データを含む画像データが蓄積され、
上記注文受付装置と上記他のネットワークを介して接続された受注装置により、上記注文受付装置に一時保存された撮影画像データ毎に印刷出力が受注され、
上記注文受付装置と上記他のネットワークを介して接続された印刷出力装置により、上記他のネットワークを介して上記画像蓄積装置から供給された撮影画像データを少なくとも含む画像データが印刷されて当初印刷物が出力され、
上記注文受付装置と上記他のネットワークを介して接続された出荷端末により、撮影画像データ毎に対応させて上記当初印刷物の出荷処理が行われること
を特徴とする画像印刷受注方法。
【請求項９】  少なくとも被写体を撮影する複数の撮影装置と、
上記複数の撮影装置とネットワークを介して接続され、上記複数の撮影装置のそれぞれによって少なくとも被写体が撮影されるのに応じて、撮影によって得られた撮影画像データ毎に印刷出力を受注する受注装置と、
上記複数の撮影装置と上記ネットワークを介して接続され、上記ネットワークを介して上記複数の撮影装置のそれぞれから供給された撮影画像データを含む画像データを蓄積する画像蓄積装置と、
上記複数の撮影装置と上記ネットワークを介して接続され、上記ネットワークを介して上記撮影装置から供給された撮影画像データと、上記ネットワークを介して上記画像蓄積装置から供給された画像データとを印刷して当初印刷物を出力する印刷出力装置とを備えること
を特徴とする画像印刷受注システム。
【請求項１０】  複数の撮影装置によって少なくとも被写体が撮影され、
上記複数の撮影装置とネットワークを介して接続された受注装置により、上記複数の撮影装置のそれぞれによって少なくとも被写体が撮影されるのに応じて、撮影によって得られた撮影画像データ毎に印刷出力が受注され、
上記複数の撮影装置と上記ネットワークを介して接続された画像蓄積装置により、上記ネットワークを介して上記複数の撮影装置のそれぞれから供給された撮影画像データを含む画像データが蓄積され、
上記複数の撮影装置と上記ネットワークを介して接続された印刷出力装置により、上記ネットワークを介して上記撮影装置から供給された撮影画像データと、上記ネットワークを介して上記画像蓄積装置から供給された画像データとが印刷されて当初印刷物が出力されること
を特徴とする画像印刷受注方法。
【請求項１１】  少なくとも被写体を撮影する複数の撮影装置と、
上記複数の撮影装置とネットワークを介して接続され、上記ネットワークを介して、上記複数の撮影装置のそれぞれによって少なくとも被写体が撮影されて得られた撮影画像データが上記複数の撮影装置のそれぞれから供給され、撮影画像データ毎に印刷出力の注文を受け付けるとともに、上記撮影画像データを注文毎に一時保存する注文受付装置と、
上記注文受付装置と上記ネットワークとは異なる他のネットワークを介して接続され、上記他のネットワークを介して上記注文受付装置から供給された撮影画像データを含む画像データを蓄積する画像蓄積装置と、
上記注文受付装置と上記他のネットワークを介して接続され、上記注文受付装置に一時保存された撮影画像データ毎に印刷出力を受注する受注装置と、
上記複数の撮影装置と上記他のネットワークを介して接続され、上記他のネットワークを介して上記撮影装置から供給された撮影画像データと、上記他のネットワークを介して上記画像蓄積装置から供給された画像データとを印刷して当初印刷物を出力する印刷出力装置とを備えること
を特徴とする画像印刷受注システム。
【請求項１２】  複数の撮影装置によって少なくとも被写体が撮影され、
上記複数の撮影装置とネットワークを介して接続された印刷出力装置により、上記ネットワークを介して上記撮影装置から供給された撮影画像データと、上記ネットワークを介して上記画像蓄積装置から供給された画像データとが印刷されて当初印刷物が出力され、
上記複数の撮影装置と上記ネットワークとは異なる他のネットワークを介して接続された注文受付装置により、上記他のネットワークを介して、上記複数の撮影装置のそれぞれによって少なくとも被写体が撮影されて得られた撮影画像データが上記複数の撮影装置のそれぞれから供給され、撮影画像データ毎に印刷出力の注文が受け付けられるとともに、上記撮影画像データが注文毎に一時保存され、
上記注文受付装置と上記ネットワークを介して接続された画像蓄積装置により、上記ネットワークを介して上記注文受付装置から供給された撮影画像データを含む画像データが蓄積され、
上記注文受付装置と上記ネットワークを介して接続された受注装置により、上記注文受付装置に一時保存された撮影画像データ毎に印刷出力が受注されること
を特徴とする画像印刷受注方法。
【請求項１３】  複数の通信端末により、上記他のネットワークを介して上記撮影画像データを基礎とする画像データの印刷物である事後印刷物の再注文が行われ、
上記複数の通信端末と上記他のネットワークを介して接続された注文受付装置により、上記複数の通信端末のそれぞれから要求された上記事後印刷物の再注文が受け付けられ、
上記複数の通信端末と上記他のネットワークを介して接続された課金及び決済装置により、再注文された上記事後印刷物に対する課金及び決済が行われ、
上記受注装置により、上記課金及び決済装置によって課金及び決済が行われるのに応じて、上記通信端末によって上記他のネットワークを介して上記注文受付装置に再注文された上記撮影画像データを基礎とする画像データの印刷出力が、上記ネットワークを介して再受注され、
再注文された上記撮影画像データを基礎とする画像データの印刷出力が上記受注装置によって再受注されるのに応じて、再注文された上記撮影画像データを基礎とする画像データが上記ネットワークを介して上記画像蓄積装置から上記印刷出力装置とは異なる他の印刷出力装置に対して供給され、上記他の印刷出力装置により、上記画像蓄積装置から供給された画像データが印刷されて上記事後印刷物が出力され、
上記注文受付装置と上記ネットワークを介して接続された出荷端末により、撮影画像データ毎に対応させて上記事後印刷物の出荷処理が行われること
を特徴とする請求項１２記載の画像印刷受注方法。
【手続補正２】
【補正対象書類名】明細書
【補正対象項目名】００２４
【補正方法】削除
【補正の内容】
【手続補正３】
【補正対象書類名】明細書
【補正対象項目名】００２５
【補正方法】削除
【補正の内容】
【手続補正４】
【補正対象書類名】明細書
【補正対象項目名】００２８
【補正方法】削除
【補正の内容】
【手続補正５】
【補正対象書類名】明細書
【補正対象項目名】００２９
【補正方法】削除
【補正の内容】
【手続補正６】
【補正対象書類名】明細書
【補正対象項目名】００３２
【補正方法】削除
【補正の内容】
【手続補正７】
【補正対象書類名】明細書
【補正対象項目名】００３３
【補正方法】削除
【補正の内容】
【手続補正８】
【補正対象書類名】明細書
【補正対象項目名】００３６
【補正方法】削除
【補正の内容】
【手続補正９】
【補正対象書類名】明細書
【補正対象項目名】００３７
【補正方法】削除
【補正の内容】
【手続補正１０】
【補正対象書類名】明細書
【補正対象項目名】０３３９
【補正方法】削除
【補正の内容】
【手続補正１１】
【補正対象書類名】明細書
【補正対象項目名】０３４０
【補正方法】削除
【補正の内容】
【手続補正１２】
【補正対象書類名】明細書
【補正対象項目名】０３４３
【補正方法】削除
【補正の内容】
【手続補正１３】
【補正対象書類名】明細書
【補正対象項目名】０３４４
【補正方法】削除
【補正の内容】
【手続補正１４】
【補正対象書類名】明細書
【補正対象項目名】０３４７
【補正方法】削除
【補正の内容】
【手続補正１５】
【補正対象書類名】明細書
【補正対象項目名】０３４８
【補正方法】削除
【補正の内容】
【手続補正１６】
【補正対象書類名】明細書
【補正対象項目名】０３５１
【補正方法】削除
【補正の内容】
【手続補正１７】
【補正対象書類名】明細書
【補正対象項目名】０３５２
【補正方法】削除
【補正の内容】